(57)【特許請求の範囲】
【請求項１】
長尺状の連続紙を所定量巻き上げたロール紙を製造するロール紙製造装置において、
余券部、本券部、半券部で一単位とされた繰り返し単位が長さ方向に沿って連続し、少なくとも前記余券部と前記本券部とがミシン目によって分割された長尺状の前記連続紙を前記余券部、前記半券部、前記本券部の順で引き出し自在に保持する原反保持部と、
前記連続紙を前記余券部から長さ方向に沿ってロール状に巻き上げる巻き取り部と、
前記原反保持部から前記巻き取り部へ至る案内経路に位置する２対のローラと、
これらの２対の案内ローラに挟まれるように設けられ前記連続紙を切断する切断部材と、
を備え、
前記切断部材は、前記巻き取り部によって前記連続紙を前記所定量巻き上げた時点で、前記余券部と前記本券部とを分割するための前記ミシン目から切断することを特徴とするロール紙製造装置。
【発明の詳細な説明】
【０００１】
【発明の属する技術分野】
本発明は、ロール紙製造装置に関する。
【０００２】
【従来の技術】
従来、原反として幅広の連続紙を保持する原反保持部、原反を所定幅にスリットする縦方向スリッタ、スリットされた所定幅の連続紙を長さ方向の一端側からロール状に巻き上げる巻き取り部、巻き上げた連続紙を所定の長さでカットするカッタ機構等を備え、巻き取り部でロール状に巻き上げた長尺状の連続紙を所定の長さでカットすることによりロール紙を製造するようにしたロール紙製造装置がある。
【０００３】
このようなロール紙製造装置には、例えば生産量の少ないロール紙を製造する場合等において、巻き取り部で巻き上げた連続紙を、オペレーターが手動でカットするようなことがなされているものがある。
【０００４】
上述のようなロール紙製造装置によって製造されたロール紙は、例えばチケットプリンタ等に使用される。チケットプリンタとは、チケットを専用に発行するプリンタであり、搬送経路中を搬送されるロール紙に対して印字動作を行い、印字後のロール紙を全て一定長となるような位置で切断する。
【０００５】
チケットプリンタに使用されるロール紙には、発行されるチケットに関して印字位置と切断位置との位置関係の正確さが求められるため、切断位置の判断の基準となるブラックマークと称されるマーキングが施されているものがあり、このようなロール紙を使用するチケットプリンタでは、反射型光センサでブラックマークの位置を検出し、検出されたブラックマークの位置を基準として、印字位置と切断位置とを設定することにより、印字位置や切断位置の正確性を確保するようにしている。
【０００６】
加えて、ロール紙を使用するチケットプリンタには、ロール紙の先端を一部引き出した状態でセットさせる投げ込み方式を採用したチケットプリンタがある。このようなチケットプリンタでは、ロール紙のセット時に、初期フィードを行うようにすることが従来からなされている。
【０００７】
ここで、初期フィードとは、ロール紙がセットされてから最初のブラックマークを検出するまで印字動作を行わずに連続紙を搬送し、ブラックマークを検出した時点でカッタ機構を駆動して連続紙を切断する動作である。
【０００８】
初期フィードを行うことにより、次回のチケット発行に際して、印字位置と切断位置との位置関係を良好に維持することができる。
【０００９】
また、チケットプリンタに使用されるロール紙には、発行後の使用態様を考慮して、使用時に容易に切り離すことができるようなミシン目が予め付されているものがある。これによって、発行されたチケットの取り扱いを容易にすることが可能になる。
【００１０】
【発明が解決しようとする課題】
ところが、上述したようなロール紙製造装置では、カッタ機構の精度によっては、切断位置にばらつきを生じてしまうことが懸念される。これにより、ロール紙の長さが、不揃いとなってしまう。
【００１１】
この対策として、精度の高いカッタ機構を用いることが考えられるが、高精度なカッタ機構を使用する場合、装置のメンテナンスを頻繁に行わなくてはならず、作業性が劣る。
【００１２】
また、ロール紙の巻き終わりをオペレーターがカッタ等を使用して手動で切断する場合には、作業が煩雑となる。加えて、ロール紙の巻き終わりをオペレーターがカッタ等を使用して手動で切断する場合、ロール紙の巻き終わりをオペレーターが無作為に切断するため、製造されたロール紙の切断位置にばらつきが生じる。
【００１３】
投げ込み方式を採用しているチケットプリンタでは、上述したような構造上の理由から、ロール紙をセットする際に引き出した部分は初期フィードの際に廃棄される。このため、ロール紙の長さにばらつきがある場合には、廃棄される部分が必要以上に多くなってしまうことが考えられ、ロール紙を有効に活用することができない。このことは、投げ込み方式を採用しているチケットプリンタにおいて、印字位置が厳密に規定されるミシン目が形成されているロール紙をセットした場合に、より顕著に表れる。
【００１４】
また、上述したようなロール紙製造装置では、ロール紙の切断位置が不揃いとなることによりロール紙の巻き始めの位置も不揃いとなるため、チケットプリンタでの使用に際して、有効に使用することができず、印字されずに残ってしまうロール紙が発生してしまう。
【００１５】
本発明は、長さ寸法に関して、精度の良好なロール紙製造方法、ロール紙製造装置およびロール紙を得ることを目的とする。
【００１６】
本発明は、切断位置を厳密に調整する必要なく、長さ寸法に関して、精度の良好なロール紙製造方法、ロール紙製造装置およびロール紙を得ることを目的とする。
【００１７】
本発明は、チケットプリンタでの使用に際して、印字されずに残される部分を必要最少限とし、最大限有効に活用することができるロール紙製造方法、ロール紙製造装置およびロール紙を得ることを目的とする。
【００１８】
本発明は、投げ込み方式を採用しているチケットプリンタでの使用に際して、初期フィードにかかる無駄を必要最少限とすることができるロール紙製造方法、ロール紙製造装置およびロール紙を得ることを目的とする。
【００２１】
【課題を解決するための手段】
請求項１記載の発明のロール紙製造装置は、長尺状の連続紙を所定量巻き上げたロール紙を製造するロール紙製造装置において、余券部、本券部、半券部で一単位とされた繰り返し単位が長さ方向に沿って連続し、少なくとも前記余券部と前記本券部とがミシン目によって分割された長尺状の前記連続紙を前記余券部、前記半券部、前記本券部の順で引き出し自在に保持する原反保持部と、前記連続紙を前記余券部から長さ方向に沿ってロール状に巻き上げる巻き取り部と、前記原反保持部から前記巻き取り部へ至る案内経路に位置する２対のローラと、これらの２対の案内ローラに挟まれるように設けられ前記連続紙を切断する切断部材と、を備え、前記切断部材は、前記巻き取り部によって前記連続紙を前記所定量巻き上げた時点で、前記余券部と前記本券部とを分割するための前記ミシン目から切断する。
【００２２】
したがって、原反保持部に保持された連続紙が、巻き取り部によって余券部からロール状に巻き上げられ、所定量巻き上げられた時点で、切断機構によって余券部と本券部とを分割するミシン目で切断される。これによって、カッタ機構によって切断される切断位置の精度を厳密に調整する必要なく、切断位置を常に一定に維持することが可能になるので、長さ寸法に関しての寸法精度を良好に維持することが可能になる。
【００２５】
【発明の実施の形態】
まず、本発明の一実施の形態のチケットロール紙について図１および図２を参照して説明する。本実施の形態のチケットロール紙は、ＰＯＳ端末等のホスト機に接続して使用され、ホスト機からの印字データに応じて印字がなされたチケットを発行するチケットプリンタ１７(図４参照)等に使用される。
【００２６】
図１は本発明の一実施の形態のチケットロール紙１の巻き始め側を示す斜視図および平面図であり、図２はチケットロール紙１の巻き終わり側を示す斜視図および平面図である。ロール紙としてのチケットロール紙１は、熱エネルギーが印加されることにより発色する発色特性を有する感熱発色層(図示せず)が一面側に形成されている長尺状の連続紙としての感熱紙１ａが、長さ方向の一端部側からロール状に巻き上げられたロール体形状を有している。
【００２７】
感熱紙１ａは、図１(ｂ)，図２(ｂ)に示すように、長さ方向に沿って連続する余券部２，本券部３，半券部４で一単位とされる複数の繰り返し単位５が長さ方向に沿って連続している。また、感熱紙１ａは、後述するチケットプリンタ１７に使用されてチケットとして発行される際の使用態様から、本券部３と半券部４，本券部３と余券部２とが、それぞれミシン目６によって分割されている。
【００２８】
本券部３には、後述するチケットプリンタ１７で使用されてチケットとして発行される際に、コンサート名や席順等が印字されるメイン印字領域３ａが設けられている。また、半券部４には、後述するチケットプリンタ１７で使用される際に、メイン印字領域３ａに印字される内容とほぼ同様の内容が印字されるサブ印字領域４ａが設けられている。さらに、余券部２には、後述するチケットプリンタ１７で使用される際に、例えばチケットの発行を指示したＰＯＳ端末の識別番号等の、印字データの出力元を特定する情報等が印字される識別情報印字領域２ａが設けられている。
【００２９】
特に図示しないが、感熱紙１ａの感熱発色層が形成されている側の面(以降、被印字面とする。)の裏面側には、後述するチケットプリンタ１７に使用されてチケットとして発行される際に、印字位置および切断位置の基準となるブラックマークが、所定の間隔毎に付されている。本実施の形態のチケットロール紙１には、余券部２と本券部３と半券部４とが連続する単一の繰り返し単位５毎にブラックマークが付されている。
【００３０】
チケットロール紙１は、図１に示すように、繰り返し単位５の連続が、余券部２から巻き始められており、巻き終わりは本券部３と余券部２とを分割するミシン目６によって切断された本券部３とされている。チケットロール紙１の巻き終わりを本券部３と余券部２とを分割するミシン目６によって切断された本券部３とすることにより、切断位置を常に一定に維持することが可能になるので、長さ寸法に関しての精度が良好なチケットロール紙１を提供することができる。
【００３１】
次に、上述したチケットロール紙１を製造するロール紙製造装置について図３を参照して説明する。図３は、ロール紙製造装置におけるロール紙巻き取り機構を概略的に示す側面図である。ロール紙製造装置７は、ロール状の幅広の感熱紙１ｂ(以降、原反とする。)を回転自在に保持する原反保持部９、原反１ｂを長さ方向の先端からロール状に巻き上げる巻き取り部１０、原反保持部９と巻き取り部１０との間で原反保持部９から巻き取り部１０へ至る案内経路１１等を備える。
【００３２】
原反保持部９に保持される原反１ｂは、複数本のチケットロール紙１に相当する幅を有しており、長さ方向の一端部側から巻き上げられたロール体形状をしている。また、原反保持部９に保持される原反１ｂは、長さ方向の一端部側から余券部２、本券部３、半券部４の順で引き出されるようにして取り付けられている。原反１ｂは、チケットロール紙１として製造された際に、本券部３，半券部４，余券部２となる各部のうち、本券部３と半券部４，本券部３と余券部２とが分割される位置に、予めミシン目６が形成されている。
【００３３】
巻き取り部１０には、一方向に回転自在な巻き取り軸１２が設けられている。後述するロール紙の製造時においては、この巻き取り軸１２にロール芯１２ａが取り付けられる。
【００３４】
案内経路１１には、案内経路１１中の用紙を張るための複数対(本実施の形態では４対)のローラ１３ａ，１３ｂ，１３ｃ，１３ｄが設けられている。また、案内経路１１には、原反保持部９から巻き取り部１０へ向けて案内される原反１ｂを所定の幅にカットする縦方向スリッタ１４が、原反１ｂの軸方向に沿って複数個設けられている。さらに、案内経路１１には、２対のローラ１３ｃ，１３ｄに挟まれるようにして、感熱紙１ａを切断するための切断機構１５が設けられている。
【００３５】
切断機構１５は、図３中において案内経路１１より上側に、紙面上方から案内経路１１を横切るようにして下方へ移動する切断部材１６を備えている。
【００３６】
加えて、特に図示しないが、ロール紙製造装置７は、巻き取り軸１２、縦方向スリッタ１４、切断部材１６等のロール紙製造装置７内の各部を駆動制御する制御部を有している。制御部は、各部を集中的に駆動制御するＣＰＵ、制御プログラム等の固定的データを予め格納するＲＯＭ、可変的なデータを書き換え自在に格納するＲＡＭを接続することにより構成されている。ＲＡＭには、例えば連続紙の巻き取りに際しての、巻き取り軸１２の回転数にかかるデータ等が記憶されている。巻き取り軸１２の回転数は、目的とする長さの感熱紙１ａを巻き上げた時点で、余券部２と本券部３とを分割する位置となるミシン目６が２対のローラの間１３ｃ，１３ｄに位置するように設定されている。
【００３７】
このような構成において、チケットロール紙１を製造する際の、各部の動作について説明する。チケットロール紙１の製造に際しては、まず、原反１ｂの長さ方向の先端を引き出して、縦方向スリッタ１４を介して、被印字面が外周側に向くようにして余券部２を巻き取り軸１２に取り付けられたロール芯１２ａに固定する。
【００３８】
なお、固定に際しては、粘着テープによって余券部２をロール芯１２ａ(図１(ａ)参照)に固定してもよいし、糊や接着剤等によって余券部２をロール芯１２ａに固定してもよい。
【００３９】
また、余券部２をロール芯１２ａに固定する粘着テープ、糊、接着剤等の接着力は、例えば後述するチケットプリンタ１７(図４参照)での使用に際して、プラテン２３等の搬送機構による搬送力によって容易に引き剥がすことが可能な程度とされている。
【００４０】
さらに、本実施の形態では、有芯のチケットロール紙１としたが、これに限るものではなく、無芯のチケットロール紙１としてもよい。
【００４１】
加えて、本実施の形態では、原反１ｂが縦方向スリッタ１４を介することで目的とするチケットロール紙の幅にスリットされた時点から以降を、感熱紙１ａとする。
【００４２】
次いで、原反保持部９から連続する感熱紙１ａのうち先端となる余券部２を巻き取り軸１２に固定した状態で、巻き取り軸１２を回転させる。
【００４３】
これにより、原反１ｂが縦方向スリッタ１４により連続的に所定の幅にスリットされ、スリット後の感熱紙１ａがロール状に巻き上げられる。
【００４４】
巻き取り軸１２を予め設定された所定数だけ回転させると、巻き取り軸１２の回転を停止させ、切断部材１６を下降させる。
【００４５】
巻き取り軸１２の回転数は、巻き取り軸１２の回転を停止させた時点で、余券部２と本券部３とを分割するミシン目６が２対のローラの間に位置するように調整されているため、切断に際して切断部材１６を案内経路１１を横切るようにして下方へ移動させると、２対のローラの間の感熱紙１ａ紙に対して作用する下方への押圧力によって、感熱紙１ａはミシン目６から切断される。
【００４６】
これによって、切断機構１５の切断位置の精度を格別厳密に調整する必要なく、２対のローラの間に切断したいミシン目６が位置するようにするだけで、切断位置を常に一定にして、長さ寸法の精度の良好なチケットロール紙１を製造することができる。また、精度の高いカッタを必要としないため、整備等のメンテナンスが容易になり、これによって作業効率を向上させることができる。
【００４７】
次に、上述したチケットロール紙１を使用し、チケットを専用に発行するチケットプリンタ１７について図４を参照して説明する。本実施の形態のチケットプリンタは、上述したように、ＰＯＳ端末等のホスト機に接続して使用され、ホスト機からの印字データに応じて印字がなされたチケットを発行する。
【００４８】
図４は、チケットプリンタ１７の概略を示す断面図である。チケットプリンタ１７は、プリンタ本体１８と、プリンタ本体１８に対して支軸１９を中心に開閉自在に支持されているヘッドカバー２０とを備えている。
【００４９】
ヘッドカバー２０には、後述するプラテン２３に対向接触して感熱紙１ａに所定事項をプリントするサーマルヘッド２１が設けられている。サーマルヘッド２１は、複数の発熱抵抗体(図示せず)がライン状に配列された構造を有している。また、ヘッドカバー２０には、後述する連続紙収納部２４の円弧形状に連続的な円弧状カバー部２２が形成されている。
【００５０】
プリンタ本体１８には、ローラ構造のプラテン２３と円弧状の連続紙収納部２４とが設けられている。プラテン２３は、搬送モータ(図示せず)によって回転駆動されることにより、感熱紙１ａを所定方向へ搬送する搬送機構としても機能する。連続紙収納部２４には、上述したチケットロール紙１が収納保持される。
【００５１】
ところで、連続紙収納部２４に収納保持するチケットロール紙１の被印字面(図示せず)が片面のみに形成されている場合、その巻回方向には、被印字面が外周側とされた外巻と、被印字面が内周側とされた内巻とがあるが、本実施の形態では、被印字面が外周側とされた外巻の感熱紙１ａが使用される。
【００５２】
チケットロール紙１は、例えばチケットロール紙１の交換等に際して、ヘッドカバー２０を解放させ、被印字面側を上側に向けて、プラテン２３の上を通るように引き出された状態で、連続紙収納部２４にセットされる。
【００５３】
ヘッドカバー２０が閉じられた状態では、連続紙収納部２４からサーマルヘッド２１および後述するカッタ機構２９を経てチケット発行口２５につながる案内経路３１が形成される。また、ヘッドカバー２０が閉じられた状態では、案内経路３１を介して、サーマルヘッド２１がプラテン２３に所定の加圧力で当接される。これによって、サーマルヘッド２１とプラテン２３とによって印字部２６が形成される。
【００５４】
また、ヘッドカバー２０が閉じられた際には、サーマルヘッド２１がプラテン２３に所定の加圧力で当接されるため、サーマルヘッド２１とプラテン２３とによって感熱紙１ａを狭持して搬送することが可能になる。
【００５５】
案内経路３１の下側は、プリンタ本体１８において連続紙収納部２４に連続させて一体的に形成された下側ガイド板２７によって支持されている。この下側ガイド板２７には、検知センサ２８が設けられている。検知センサ２８は、光を発光する発光素子(図示せず)と、発光素子で発光した光の反射光を受光する受光素子(図示せず)とを備える反射型光センサであり、受光素子での受光量に応じて、出力が変化する。
【００５６】
案内経路３１の印字部２６よりチケット発行口２５側には、カッタ機構２９が設けられている。このカッタ機構２９は、ともに平板長板状の固定刃２９ａと可動刃２９ｂとを組み合わせてなり、固定刃２９ａに対してカッタモータ３０によって可動刃２９ｂを摺動させることにより案内経路３１を搬送される感熱紙１ａを切断する構造のものである。
【００５７】
特に図示しないが、チケットプリンタ１７は、チケットプリンタ１７内の各部を駆動制御する制御部を内蔵している。制御部は、サーマルヘッド２１、図示しない搬送モータ、カッタモータ３０等を駆動制御する。また、制御部は、検知センサ２８の出力変化に基づいて、ブラックマークの有無を判断する。本実施の形態では、余券部２と本券部３と半券部４とが連続する単一の繰り返し単位５毎にブラックマークが付されているため、チケットプリンタ１７は余券部２と本券部３と半券部４とが連続する単一の繰り返し単位５の形態を１枚のチケットとして発行する。
【００５８】
加えて、チケットプリンタ１７は、ＰＯＳ端末等のホスト機(図示せず)から出力される印字データを受信するための図示しない通信インターフェイスを備えている。
【００５９】
このような構成において、チケットプリンタ１７では、チケットロール紙１の交換、補充等に際して、開放されていたヘッドカバー２０が閉じられたことを検出すると、初期フィードを行う。
【００６０】
初期フィードに際しては、まず、連続紙収納部２４にチケットロール紙１がセットされてから最初のブラックマークを検出するまで、印字部２６を駆動させずに、搬送モータのみを駆動する。これにより、感熱紙１ａがプラテン２３によって搬送される。
【００６１】
また、プラテン２３によって感熱紙１ａが搬送されて検知センサ２８の上側をブラックマークが通過することによる検知センサ２８の出力変化の有無を判断する。
【００６２】
検知センサ２８の出力変化に基づいて、ブラックマークの通過を判断すると、ブラックマークの通過を判断してから所定量だけ感熱紙１ａを搬送した時点でカッタモータ３０を駆動し、可動刃２９ｂを摺動させて、感熱紙１ａを切断して、初期フィードを終了する。本実施の形態では、ブラックマークの通過を判断してから所定量だけ感熱紙１ａを搬送した時点でカッタモータ３０を駆動することにより、図１(ｂ)または図２(ｂ)において細線ｃで示す余券部２半券部４とを分割する位置で切断される。
【００６３】
初期フィードを行うことにより、新しいチケットロール紙１をセットした場合にも、以降、チケットを発行する際に、正確な印字位置から印字を開始することができる。
【００６４】
ところで、本実施の形態のチケットプリンタ１７のように、チケットロール紙１のセット方法に上述した投げ込み方式を採用しているプリンタでは、半券部３だけを引き出した状態では、プラテン２３とサーマルヘッド２１との当接部と連続紙収納部２４との間の間隔の長さよりも半券部３の長さ方向における長さが短いために、ヘッドカバー２０が閉じられた場合にプラテン２３とサーマルヘッド２１との間に感熱紙１ａを狭持させることができず、プラテン２３によって感熱紙１ａを搬送することができない。一方で、プラテン２３とサーマルヘッド２１との間に感熱紙１ａを狭持させるために十分な長さの感熱紙１ａを引き出した場合には、チケットロール紙１を連続紙収納部２４にセットする時点で、最初のブラックマークが検知センサ上を通過してしまうため、初期フィードに際して、最初にブラックマークを検出するまでには、不必要に多くの感熱紙が無駄に廃棄される。
【００６５】
本実施の形態のチケットロール紙１は、巻き終わりが本券部３とされているため、上述のようにして初期フィードを行うことができる必要分を引き出してセットした場合に、最初にブラックマークを検出するまでに搬送されて廃棄される部分は、最初の本券部３と半券部４のみとなる。これによって、チケットロール紙１の補充に際して廃棄される感熱紙１ａの無駄を必要最少限とすることができる。
【００６６】
次に、チケットの発行に際して制御部に駆動制御される各部の動作について説明する。チケットプリンタ１７では、ＰＯＳ端末等のホスト機から伝送されたプリントデータを通信インターフェイスによって受信すると、受信した印字データに基づいてサーマルヘッド２１の各抵抗発熱体(図示せず)を駆動することにより感熱紙１ａに対して所定の印字エネルギーを印加する。感熱紙１ａは、所定の印字エネルギーが印加されることにより、印加されたエネルギーに応じてドット単位で発色する。これにより、感熱紙１ａに所定事項が印字される。
【００６７】
印字に際しては、受信した印字データに基づいて１ライン分の印字データ毎に印字を行い、１ライン分の印字データを印字する毎に図示しない搬送モータを駆動してプラテン２３を回転させ、１ライン分のプリント領域に相当する長さだけ感熱紙１ａを搬送する。
【００６８】
搬送モータにより回転されるプラテン２３によって搬送される感熱紙１ａに付されたブラックマークが検知センサ２８上を通過すると、検知センサ２８において出力変化が生じる。
【００６９】
制御部は、検知センサ２８の出力変化をブラックマークとして検出した場合に、カッタモータ３０を駆動して可動刃２９ｂを摺動させる。これにより、感熱紙１ａが、図１(ｂ)または図２(ｂ)に細線ｃで示す位置で切断されたチケットが発行される。
【００７０】
本実施の形態では、余券部２がロール芯１２ａに固定された有芯のチケットロール紙１を使用しているが、チケットロール紙１の使用が進み使用の終了位置が近づくと、プラテン２３の搬送力によって感熱紙１ａはロール芯１２ａから容易に引き剥がされる。引き剥がされた感熱紙１ａの巻き始め部分は、ロール芯１２ａから離れて搬送される。
【００７１】
なお、無芯のチケットロール紙１を使用している場合には、チケットロール紙１の使用が進み使用の終了位置が近づくと、感熱紙１ａの巻き始め部分は、ロール芯１２ａから離れて搬送される。
【００７２】
余券部２と本券部３と半券部４とが連続する単一の繰り返し単位５の形態でチケットを発行するチケットプリンタ１７では、巻き始めが余券部２とされているチケットロール紙１を使用することにより、最後に残る部分を余券部２だけとすることができる。これによって、廃棄する部分を必要最少限として、ロール紙を有効に使用することができる。
【００７４】
【発明の効果】
請求項１記載の発明のロール紙製造装置によれば、長尺状の連続紙を所定量巻き上げたロール紙を製造するロール紙製造装置において、余券部、本券部、半券部で一単位とされた繰り返し単位が長さ方向に沿って連続し、少なくとも前記余券部と前記本券部とがミシン目によって分割された長尺状の前記連続紙を前記余券部、前記半券部、前記本券部の順で引き出し自在に保持する原反保持部と、前記連続紙を前記余券部から長さ方向に沿ってロール状に巻き上げる巻き取り部と、前記原反保持部から前記巻き取り部へ至る案内経路に位置する２対のローラと、これらの２対の案内ローラに挟まれるように設けられ前記連続紙を切断する切断部材と、を備え、前記切断部材は、前記巻き取り部によって前記連続紙を前記所定量巻き上げた時点で、前記余券部と前記本券部とを分割するための前記ミシン目から切断することにより、２対のローラの間に切断したいミシン目が位置するようにするだけで、カッタ機構によって切断される切断位置の精度を厳密に調整する必要なく、切断位置を常に一定に維持することが可能になるので、長さ寸法に関しての寸法精度を良好に維持することができる。これによって、メンテナンスにおける切断機構等の切断位置の精度を調整する際の作業を容易にして、作業効率の向上を図ることができる。また、切断位置の精度が厳密に調整されたカッタ機構を備える必要がないので、実用上安価な装置によってロール紙を製造することができる。加えて、このロール紙製造装置によって製造されたロール紙を、例えば、構造上の理由からロール紙のセットに際して先端を引き出さなくてはならない投げ込み方式を採用しているチケットプリンタにセットする際に、切断の基準となるブラックマークを最初に検出する前に、プラテン等の搬送機構に連続紙を到達させることができ、初期フィードにかかる無駄を必要最少限に抑えることができる。また、巻き始めを余券部とすることにより、余券部と本券部と半券部とを単一の繰り返し単位とするチケットを発行するチケットプリンタでの使用に際して、印字されずに残される部分を余券部のみとして、連続紙を最大限有効に活用することができる。
【図面の簡単な説明】
【図１】本発明の一実施の形態のチケットロール紙の巻き始め側を示す斜視図および平面図である。
【図２】本発明の一実施の形態のチケットロール紙の巻き終わり側を示す斜視図および平面図である。
【図３】ロール紙製造装置におけるロール紙巻き取り機構を概略的に示す側面図である。
【図４】チケットプリンタの概略を示す断面図である。
【符号の説明】
１      ロール紙
１ａ    連続紙
２      余券部
３      本券部
４      半券部
５      繰り返し単位
６      ミシン目
７      ロール紙製造装置
９      原反保持部
１０      巻き取り部
１５      切断機構
【図１】
0003695692.tif 000002
【図２】
0003695692.tif 000003
【図３】
0003695692.tif 000004
【図４】
0003695692.tif 000005